(57)【要約】【課題】複数のクリップをシースの先端から一つずつ順に押し出す際に、クリップを所定位置で正確に停止させてクリッピングを確実に行うことができる内視鏡用クリップ装置の操作部を提供すること。【解決手段】シース１の先端から一つずつ順に押し出される複数のクリップ３Ａ，３Ｂ，３Ｃが所定位置に差しかかる毎にスライド操作部材１３の可動範囲を規制するための複数の可脱ストッパ１５Ａ，１５Ｂ，１５Ｃを操作部本体１１に着脱自在に取り付け、複数の可脱ストッパ１５Ａ，１５Ｂ，１５Ｃを操作部本体１１から一つずつ順に外してスライド操作部材１３を可脱ストッパ１５Ａ，１５Ｂ，１５Ｃに当接する位置までスライド操作することにより、シース１の先端から複数のクリップ３Ａ，３Ｂ，３Ｃが一つずつ順に所定位置まで押し出されるようにした。【選択図】      図１
2009148442.tif 000002
【特許請求の範囲】
【請求項１】
内視鏡の処置具挿通チャンネルに挿脱されるシース内に軸線方向に進退自在に配置された操作ワイヤを基端側から押し込み操作することにより、上記シースの先端内に窄まった状態で直列に配置された複数のクリップを上記シースの先端から順次押し出すことができるように構成された内視鏡用クリップ装置の操作部であって、上記操作ワイヤを基端側から押し引き操作するためのスライド操作部材が操作部本体に対しスライド自在に設けられたものにおいて、
上記シースの先端から一つずつ順に押し出される上記複数のクリップが所定位置に差しかかる毎に上記スライド操作部材の可動範囲を規制するための複数の可脱ストッパを上記操作部本体に着脱自在に取り付け、上記複数の可脱ストッパを上記操作部本体から一つずつ順に外して上記スライド操作部材を上記可脱ストッパに当接する位置までスライド操作することにより、上記シースの先端から上記複数のクリップが一つずつ順に所定位置まで押し出されるようにしたことを特徴とする内視鏡用クリップ装置の操作部。
【請求項２】
上記可脱ストッパが略馬蹄形状に形成されていて、弾性変形させることにより上記操作部本体に着脱することができる請求項１記載の内視鏡用クリップ装置の操作部。
【請求項３】
上記操作部本体に対する上記複数の可脱ストッパの取着位置を規制する固定ストッパが上記操作部本体に固定的に設けられている請求項１又は２記載の内視鏡用クリップ装置の操作部。
【発明の詳細な説明】
【技術分野】
【０００１】
この発明は内視鏡用クリップ装置の操作部に関し、特に、シースの先端内に複数のクリップが直列に連結配置されたいわゆる連発型の内視鏡用クリップ装置の操作部に関する。
【背景技術】
【０００２】
連発型の内視鏡用クリップ装置は一般に、内視鏡の処置具挿通チャンネルに挿脱されるシース内に軸線方向に進退自在に配置された操作ワイヤを基端側から押し込み操作することにより、シースの先端内に窄まった状態で直列に配置された複数のクリップをシースの先端から順次押し出すようになっている（例えば、特許文献１、２）。
【特許文献１】特開２００２−３３０９７２
【特許文献２】特開２００６−８７５３７
【発明の開示】
【発明が解決しようとする課題】
【０００３】
連発型の内視鏡用クリップ装置の操作部には一般に、複数のクリップをシースの先端から順次押し出すために、操作ワイヤを基端側から押し込み操作するためのスライド操作部材が操作部本体に対しスライド自在に設けられていて、複数のクリップがシースの先端から一つずつ所定位置まで押し出された瞬間毎にそのスライド操作を止める必要がある。
【０００４】
しかし、従来の内視鏡用クリップ装置の操作部においては、シースの先端から操作ワイヤを介してスライド操作部材に伝わってくる感触だけを頼りに、クリップが所定位置に差しかかったことを判断していたので、クリップがシースの先端から飛び出し過ぎた状態まで押し込み操作されて、うまくクリッピングできなくなってしまう場合があった。
【０００５】
本発明は、複数のクリップをシースの先端から一つずつ順に押し出す際に、クリップを所定位置で正確に停止させてクリッピングを確実に行うことができる内視鏡用クリップ装置の操作部を提供することを目的とする。
【課題を解決するための手段】
【０００６】
上記の目的を達成するため、本発明の内視鏡用クリップ装置の操作部は、内視鏡の処置具挿通チャンネルに挿脱されるシース内に軸線方向に進退自在に配置された操作ワイヤを基端側から押し込み操作することにより、シースの先端内に窄まった状態で直列に配置された複数のクリップをシースの先端から順次押し出すことができるように構成された内視鏡用クリップ装置の操作部であって、操作ワイヤを基端側から押し引き操作するためのスライド操作部材が操作部本体に対しスライド自在に設けられたものにおいて、シースの先端から一つずつ順に押し出される複数のクリップが所定位置に差しかかる毎にスライド操作部材の可動範囲を規制するための複数の可脱ストッパを操作部本体に着脱自在に取り付け、複数の可脱ストッパを操作部本体から一つずつ順に外してスライド操作部材を可脱ストッパに当接する位置までスライド操作することにより、シースの先端から複数のクリップが一つずつ順に所定位置まで押し出されるようにしたものである。
【０００７】
なお、可脱ストッパが略馬蹄形状に形成されていて、弾性変形させることにより操作部本体に着脱することができるようにしてもよく、操作部本体に対する複数の可脱ストッパの取着位置を規制する固定ストッパが操作部本体に固定的に設けられていてもよい。
【発明の効果】
【０００８】
本発明によれば、複数の可脱ストッパを操作部本体から一つずつ順に外してスライド操作部材を可脱ストッパに当接する位置までスライド操作することにより、シースの先端から複数のクリップが一つずつ順に所定位置まで押し出されるので、複数のクリップをシースの先端から一つずつ順に押し出す際に、クリップを所定位置で正確に停止させてクリッピングを確実に行うことができる。
【発明を実施するための最良の形態】
【０００９】
内視鏡の処置具挿通チャンネルに挿脱されるシース内に軸線方向に進退自在に配置された操作ワイヤを基端側から押し込み操作することにより、シースの先端内に窄まった状態で直列に配置された複数のクリップをシースの先端から順次押し出すことができるように構成された内視鏡用クリップ装置の操作部であって、操作ワイヤを基端側から押し引き操作するためのスライド操作部材が操作部本体に対しスライド自在に設けられたものにおいて、シースの先端から一つずつ順に押し出される複数のクリップが所定位置に差しかかる毎にスライド操作部材の可動範囲を規制するための複数の可脱ストッパを操作部本体に着脱自在に取り付け、複数の可脱ストッパを操作部本体から一つずつ順に外してスライド操作部材を可脱ストッパに当接する位置までスライド操作することにより、シースの先端から複数のクリップが一つずつ順に所定位置まで押し出されるようにする。
【実施例】
【００１０】
以下、図面を参照して本発明の実施例を説明する。
図１は本発明の実施例の内視鏡用クリップ装置の全体構成を示しており、例えば四フッ化エチレン樹脂チューブ等のような可撓性チューブからなる可撓性のシース１は、図示されていない内視鏡の処置具挿通チャンネル内に挿脱自在である。シース１内には、ステンレス鋼撚り線等からなる操作ワイヤ２が軸線方向に進退自在に全長にわたって挿通配置されている。
【００１１】
シース１の先端部分には、複数（ここでは３個）のクリップ３Ａ，３Ｂ，３Ｃが直列に連結された状態に配置されていて、操作ワイヤ２の先端に取り付けられた連結用クリップ４が三番目のクリップ３Ｃの後端部分に係合している。
【００１２】
各クリップ３Ａ，３Ｂ，３Ｃは公知のものであり、各々が嘴状に前方に向かって開閉自在に設けられていて、閉じた状態ではその前側に位置するクリップの後端部に係合する。そして、各クリップ３Ａ，３Ｂ，３Ｃに被嵌された公知の締め環（「クリップ締付用リング」等ともいう）により強制的に閉じた状態にすることができる。
【００１３】
各クリップ３Ａ，３Ｂ，３Ｃは互いに連結されていて、クリップ装置を内視鏡の処置具挿通チャンネルに通す際には全部のクリップ３Ａ，３Ｂ，３Ｃがシース１内で窄んだ状態にされているが、生体内でクリッピングが行われる際には、図１に示されるようにまず先端位置のクリップ３Ａがシース１の先端から押し出される。
【００１４】
シース１の基端には、操作ワイヤ２を基端側から押し引き操作するための操作部１０が連結されている。シース１の基端は、操作ワイヤ２の基端部分と同方向に細長く形成された操作部本体１１の先端に分離可能に連結され、操作部本体１１の後端部分には、図２にも示されるように第１の指掛け１２が形成されている。
【００１５】
そして、操作ワイヤ２を基端側から押し引き操作するためのスライド操作部材１３が操作部本体１１にその長手方向にスライド自在に取り付けられている。１４は、操作部本体１１の長手方向に沿って形成されたスリットである。
【００１６】
スライド操作部材１３には、操作ワイヤ２の基端が連結固定されると共に、第２の指掛けが形成されており、スライド操作部材１３を操作部本体１１の長手方向にスライド操作することにより、操作ワイヤ２をシース１内で軸線方向に進退させることができ、操作ワイヤ２を先端方向に押し込む状態にスライド操作部材１３を操作すれば、クリップ３Ａ，３Ｂ，３Ｃをシース１の先端から前方に順に押し出すことができる。
【００１７】
操作部本体１１には、スライド操作部材１３の押し込み方向の可動範囲を規制するための複数の可脱ストッパ１５Ａ，１５Ｂ，１５Ｃが取り付けられている。各可脱ストッパ１５Ａ，１５Ｂ，１５Ｃは、図１におけるIII−III断面を図示する図３と単体の斜視図である図４にも示されるように、プラスチック材により略馬蹄形状（又は、略Ｃリング状）に形成されていて、弾性変形させることにより操作部本体１１に対して着脱自在である。
【００１８】
即ち、各可脱ストッパ１５Ａ，１５Ｂ，１５Ｃは、弾性変形させてその切れ目１５１部分を広げることにより、図２に二点鎖線で例示されるように操作部本体１１に対して着脱することができ、自然状態では操作部本体１１を外側からある程度締め付けた状態になる。各可脱ストッパ１５Ａ，１５Ｂ，１５Ｃの外周部には、一対の指掛け１５２が凹んで形成されている。
【００１９】
ただし、それだけの構成では、スライド操作部材１３を強くスライド操作すると可脱ストッパ１５Ａ，１５Ｂ，１５Ｃが全部一緒に移動してしまう。そこで、操作部本体１１に対する複数の可脱ストッパ１５Ａ，１５Ｂ，１５Ｃの取り付き位置を規制する固定ストッパ１６が操作部本体１１に固定的に設けられ、その固定ストッパ１６の後側に隣接して各可脱ストッパ１５Ａ，１５Ｂ，１５Ｃが当接し合った状態に配置されている。
【００２０】
なお、この実施例では固定ストッパ１６が操作部本体１１の外周を部分的に大きくして操作部本体１１と一体に形成されているが、可脱ストッパ１５Ａ，１５Ｂ，１５Ｃと同様のストッパを操作部本体１１に接着等で固定することにより固定ストッパ１６を構成してもよい。
【００２１】
各可脱ストッパ１５Ａ，１５Ｂ，１５Ｃの厚みは複数のクリップ３Ａ，３Ｂ，３Ｃの連結ピッチと一致しており、固定ストッパ１６は、シース１の先端と複数のクリップ３Ａ，３Ｂ，３Ｃとの位置関係に対応して操作部本体１１上の位置が設定されている。
【００２２】
その結果、各可脱ストッパ１５Ａ，１５Ｂ，１５Ｃは、図１と図５以下の各図を参照して後述するように、シース１の先端から一つずつ順に押し出される複数の可脱ストッパ１５Ａ，１５Ｂ，１５Ｃが所定位置に差しかかる毎に、スライド操作部材１３の可動範囲を規制するように機能し、複数の可脱ストッパ１５Ａ，１５Ｂ，１５Ｃを操作部本体１１から一つずつ順に外してスライド操作部材１３を可脱ストッパ１５Ａ，１５Ｂ，１５Ｃに当接する位置までスライド操作することにより、シース１の先端から複数のクリップ３Ａ，３Ｂ，３Ｃが一つずつ順に所定位置まで押し出されることになる。
【００２３】
図１に示される状態は、生体内でクリッピングを行う際に、まず先端位置のクリップ３Ａがシース１の先端から押し出されて開いた状態になったところである。締め環はシース１の先端から前方に押し出されているが、先端位置のクリップ３Ａの基端部分はシース１の先端内に残っていて、その後端部に二番目のクリップ３Ｂの先端が閉じた状態で係合している。
【００２４】
その時操作部１０においては、スライド操作部材１３の先端面が後端位置の可脱ストッパ１５Ａの後端面に当接して、スライド操作部材１３の押し込み方向への移動が阻止されている。したがって、スライド操作部材１３を単純に押し込み操作しても、先端位置のクリップ３Ａがシース１の先端から前方に飛び出し過ぎるおそれがない。
【００２５】
そのようにして先端位置のクリップ３Ａが開いた状態になったら、図５に示されるように、操作ワイヤ２を後方に引っ張る状態にスライド操作部材１３をスライド操作する。すると、シース１の先端から押し出されている締め環内に先端位置のクリップ３Ａが引き込まれ、先端位置のクリップ３Ａが閉じて患部粘膜等を挟み込んだ状態になる。
【００２６】
そこで、図６に示されるように、後端位置の可脱ストッパ１５Ａを操作部本体１１から外し、図７に示されるように、再びスライド操作部材１３を押し込み方向にスライド操作すると、先端位置のクリップ３Ａに続いて二番目のクリップ３Ｂもシース１の先端から押し出され始め、二番目のクリップ３Ｂが開くことによって先端位置のクリップ３Ａと二番目のクリップ３Ｂとの係合が外れて、先端位置のクリップ３Ａが患部粘膜等にクリッピングされて留置された状態になる。
【００２７】
そして、そのままスライド操作部材１３を押し込み操作すれば、図８に示されるように、スライド操作部材１３の先端面が二番目の可脱ストッパ１５Ｂの後端面に当接して、スライド操作部材１３の押し込み方向への移動が阻止される。
【００２８】
したがって、スライド操作部材１３を単純に押し込み操作しても、二番目のクリップ３Ｂがシース１の先端から前方に飛び出し過ぎることなく、所定の開き状態になり、クリップ３Ａ，３Ｂ，３Ｃを順に代えて図５以降の動作がくり返される。
【００２９】
なお、可脱ストッパ１５Ａ，１５Ｂ，１５Ｃを操作部１０から一つだけ取り出す際に、それに隣接する可脱ストッパ１５Ａ，１５Ｂ，１５Ｃがくっついて一緒に外れてしまわないように、各可脱ストッパ１５Ａ，１５Ｂ，１５Ｃを滑りのよいフッ素樹脂系の材料等で形成したり、可脱ストッパ１５Ａ，１５Ｂ，１５Ｃどうしが接する面（図４に砂目状に図示される面）に潤滑剤を塗布しておくとよい。そのような潤滑剤としては、例えば、シリコングリース、フルオロエーテルグリース、水溶性グリース等を用いることができる。
【図面の簡単な説明】
【００３０】
【図１】本発明の実施例の内視鏡用クリップ装置の全体構成の側面断面図である。
【図２】本発明の実施例の内視鏡用クリップ装置の操作部の斜視図である。
【図３】本発明の実施例の図１におけるIII−III断面図である。
【図４】本発明の実施例の可脱ストッパの単体斜視図である。
【図５】本発明の実施例の内視鏡用クリップ装置の一連の動作を示す側面断面図である。
【図６】本発明の実施例の内視鏡用クリップ装置の一連の動作を示す側面断面図である。
【図７】本発明の実施例の内視鏡用クリップ装置の一連の動作を示す側面断面図である。
【図８】本発明の実施例の内視鏡用クリップ装置の一連の動作を示す側面断面図である。
【符号の説明】
【００３１】
１  シース
２  操作ワイヤ
３Ａ，３Ｂ，３Ｃ  クリップ
１０  操作部
１１  操作部本体
１３  スライド操作部材
１５Ａ，１５Ｂ，１５Ｃ  可脱ストッパ
１６  固定ストッパ
【図１】
2009148442.tif 000003
【図２】
2009148442.tif 000004
【図３】
2009148442.tif 000005
【図４】
2009148442.tif 000006
【図５】
2009148442.tif 000007
【図６】
2009148442.tif 000008
【図７】
2009148442.tif 000009
【図８】
2009148442.tif 000010